(57)【特許請求の範囲】
【請求項１】
容器の充填口内に、封緘キャップを螺合させて装着する容器であって、封緘キャップは、上方部と中間部と下方部とからなり、上方部の下端と中間部の下端に段差部を設けて、上方部の外径を中間部の外径よりも大きく中間部の外径を下方部の外径よりも大きく設け、上方部には、外周面に充填口との雄ねじを設け、内周面に縦の螺着用ローレット目を設け、下方部には、内側下方に封鎖板を設け下端外周面に充填口との引っ掛けリングを設け、容器の充填口は、上方部と下方部とからなり、上方部の下端に段差部を設けて、上方部の外径を下方部の外径よりも大きく設け、上方部には、内周面に封緘キャップとの雌ねじを設け、下方部には、内側下方の内周面に、封緘キャップの中間部の下端の段差部の下面が上面に当接する当接リングを設け、この当接リングの内周面に、ヒンジを介して周方向に等間隔に、複数個の引っ掛け板を突設し、封緘キャップを容器の充填口内に螺着したときに、封緘キャップの下方部先端で引っ掛け板が下方へ折れ曲がり、封緘キャップの下方部の引っ掛けリングが容器の充填口の当接リングの引っ掛け板の先端に引っ掛かることを特徴とする易封緘充填口をもつ容器。
【請求項２】
封緘キャップの下方部の内側下方に設ける封鎖板の厚みを、自動吸引式注出装置のノズルを封緘キャップの内側に挿入したときに、ノズルの先端で突き破れる強度の薄肉にしたことを特徴とする請求項１記載の易封緘充填口をもつ容器。
【発明の詳細な説明】
【技術分野】
【０００１】
本発明は、充填機上で、内容物を充填口から注入したのちに、その充填口が開封不可能に又は開封が難しく封緘することが容易な、易封緘充填口をもつ容器に関するものである。
【背景技術】
【０００２】
従来、内容物を容器内へ充填したのちに、容器を密封する方法としては、キャップで充填口を密封する方法と、容器本体の内容物を充填した箇所を熱融着法によりシ−ルする方法とがある。後者の熱融着法による方法は、高度の技術と設備を必要とし、不慣れな又は少量の生産現場には不向きであった。前者のキャップによる方法は、キャップを容器の充填口に螺合方式又は打栓方式で装着するものであるが、これらは、消費者が使用時に開封することを前提としたものであった。充填口を消費者が開封出来ないようにする方法としては、螺合方式の場合には、例えば、容器の充填口の下方の外周面と、キャップの下方の内周面とにそれぞれラチェットを形成し、これらのラチェットが、キャップを装着方向へ回したときに、キャップのラチェットが容器の充填口のラチェットを乗り越え、キャップを螺脱方向へ回したときには、キャップのラチェットが容器の充填口のラチェットに係合するようにしたものがある（特許文献１参照）。
【特許文献１】実開昭５４−６４６４９
【発明の開示】
【発明が解決しようとする課題】
【０００３】
しかしながら、キャップを螺脱方向へ回したときのキャップのラチェットと容器の充填口のラチェットとの係合をしっかりさせるために、ラチェットの高さが高くすると、キャップを容器の充填口に装着するときに、大きな閉めトルクを必要とした。そして、無理にキャップを容器の充填口に螺着すると、キャップ又は容器の充填口に歪みが出来て液漏れを生じたり、充填機適正を損なうことがあった。
【０００４】
本発明は、上述の従来の容器の充填口の封緘における問題点を解決したものであり、充填機上で、充填口を開封不可能に又は開封が難しく封緘することが容易に可能な易封緘充填口をもつ容器を提供するものである。
【課題を解決するための手段】
【０００５】
すなわち、本発明の第１の発明は、容器の充填口内に、封緘キャップを螺合させて装着する容器であって、封緘キャップは、上方部と中間部と下方部とからなり、上方部の下端と中間部の下端に段差部を設けて、上方部の外径を中間部の外径よりも大きく中間部の外径を下方部の外径よりも大きく設け、上方部には、外周面に充填口との雄ねじを設け、内周面に縦の螺着用ローレット目を設け、下方部には、内側下方に封鎖板を設け下端外周面に充填口との引っ掛けリングを設け、容器の充填口は、上方部と下方部とからなり、上方部の下端に段差部を設けて、上方部の外径を下方部の外径よりも大きく設け、上方部には、内周面に封緘キャップとの雌ねじを設け、下方部には、内側下方の内周面に、封緘キャップの中間部の下端の段差部の下面が上面に当接する当接リングを設け、この当接リングの内周面に、ヒンジを介して周方向に等間隔に、複数個の引っ掛け板を突設し、封緘キャップを容器の充填口内に螺着したときに、封緘キャップの下方部先端で引っ掛け板が下方へ折れ曲がり、封緘キャップの下方部の引っ掛けリングが容器の充填口の当接リングの引っ掛け板の先端に引っ掛かることを特徴とする易封緘充填口をもつ容器である。
【０００６】
そして、本発明の第２の発明は、封緘キャップの下方部の内側下方に設ける封鎖板の厚みを、自動吸引式注出装置のノズルを封緘キャップの内側に挿入したときに、ノズルの先端で突き破れる強度の薄肉にしたことを特徴とする第１の発明に記載の易封緘充填口をもつ容器である。
【発明の効果】
【０００７】
本発明の第１の発明の易封緘充填口をもつ容器は、充填口から内容物を充填したのち、充填口内に封緘キャップを螺合させて装着すると、降下する封緘キャップの下方部先端によって、充填口の当接リングの内周面にヒンジを介して中心水平方向へ突設する引っ掛け板が下方へ折れ曲がり、封緘キャップの中間部の下端の段差部の下面が充填口の当接リングの上面に当接すると同時に、封緘キャップの下方部の引っ掛けリングが、充填口の当接リングの折れ曲がった引っ掛け板の先端に引っ掛かかり、封緘キャップが充填口にしっかりと装着固定される。充填口に一旦装着された封緘キャップは、封緘キャップの引っ掛けリングが充填口の当接リングの引っ掛け板に引っ掛かっており、充填口から封緘キャップを螺脱することが出来ない。このため、容器の充填口を開封することは、不可能か極めて困難である。なお、封緘キャップは、通常のキャップと異なり、螺着用ローレット目が上方部の内周面に設けてあるが、キャピング装置のアタッチメントを換えることで、従来のキャップのキャッピング操作と同様に容易に行うことができる。
【０００８】
また、本発明の第２の発明の易封緘充填口をもつ容器は、第１の発明の易封緘充填口をもつ容器と同様に、充填口から封緘キャップを螺脱して開封することは不可能か極めて困難であるが、封緘キャップの下方部の内側下方に設ける封鎖板の厚みが薄いため、自動吸引式注出装置のノズルを封緘キャップの内側に挿入すると、封鎖板がノズルの先端で突き破られるため、充填口を開封することができる。
【発明を実施するための最良の形態】
【０００９】
次に、本発明の易封緘充填口をもつ容器の実施の形態について、図を用いて詳細に説明する。
【００１０】
図１は、実施形態１の容器の要部の断面図であり、図２（ａ）は、その封緘キャップの平面図で、図２（ｂ）は、断面図であり、図３（ａ）は、その充填口の平面図で、図３（ｂ）は、断面図である。図４は、実施形態２の容器の要部の断面図であり、図５（ａ）は、その封緘キャップの平面図で、図５（ｂ）は、断面図であり、図６（ｂ）は、その充填口の平面図で、図６（ｂ）は、断面図である。
【００１１】
まず、図１に示す実施形態１の易封緘充填口をもつ容器（１０）は、充填口又は充填口と排出口をもち、その充填口から内容物を容器本体内に充填したのちに、充填口（２００）内に封緘キャップ（１００）をキャッピング装置で螺合により装着し、充填口を開封不可能に又は開封が難しく封緘するものである。  
【００１２】
封緘キャップ（１００）の構造は、図２（ａ）及び（ｂ）に示すように、上方から上方部（１１０）と中間部（１３０）と下方部（１５０）とからなり、上方部の下端と中間部の下端に段差部（１２０，１４０）を設けて、上方部の外径を中間部の外径よりも大きく中間部の外径を下方部の外径よりも大きく設けるものである。そして、上方部には、外周面に図１示す充填口（２００）の雌ねじ（２１１）と螺合する雄ねじ（１１１）を設け、内周面にキャッピング装置で螺着できるように縦の螺着用ローレット目（１１２）を設け、中間部は、所定の長さに設け、下方部には、内側下方に封鎖板（１６０）を設けて封鎖し、下端外周面に、図１に示す充填口（２００）の引っ掛け板（２６０）に引っ掛かる引っ掛けリング（１５１）を設けるものである。封緘キャップは、通常、ポリプロピレンを用いて射出成形法により作製するものである。
【００１３】
充填口（２００）の構造は、図３（ａ）及び（ｂ）に示すように、上方部（２１０）と下方部（２３０）とからなり、上方部の下端に段差部（２２０）を設けて、上方部の外径を下方部の外径よりも大きく設けるものである。そして、上方部には、内周面に図１に示す封緘キャップ（１００）の雄ねじ（１１１）との雌ねじ（２１１）を設け、下方部には、内側下方の内周面に、封緘キャップの中間部の下端の段差部の下面が上面に当接する当接リングを設け、下方部には、内側下方の内周面に、図１に示す封緘キャップ（１００）の中間部の下端の段差部（１４０）の下面が上面に当接する当接リング（２４０）を設け、この当接リングの内周面に、ヒンジ（２５０）を介して周方向に等間隔に、例えば４個の引っ掛け板（２６０）を中心方向に突設するものである。充填口は、別個に作製して容器本体に取り付けるか又は容器本体と一体に作製してもよい。別個に作製する場合には、通常、ポリエチレンを用いて射出成形法により作製するものである。
【００１４】
そして、上述した実施形態１の容器の充填口から内容物を充填したのち、容器の充填口内に封緘キャップを一旦螺着させると、図１に示すように、封緘キャップ（１００）の引っ掛けリング（１５１）が、充填口（２００）の引っ掛け板（２６０）の先端に引っ掛かって、容器の充填口を開封することは出来ない。
【００１５】
次に、図４に示す実施形態２の易封緘充填口をもつ容器（１０）は、充填口（２００）の構造については、図６（ａ）及び（ｂ）に示すように、実施形態１の容器と同様であるが、自動吸引式注出装置のノズルを封緘キャップの内側に挿入したときに、図４、図５（ｂ）及び（ｂ）に示すように、ノズルの先端で封緘キャップ（１００）の下方部（１５０）の内側下方に設ける封鎖板（１６０）を突き破れるように封鎖板の厚みを薄くしたものである。これ以外は、実施形態１の容器と同様である。
【図面の簡単な説明】
【００１６】
【図１】封緘キャップを充填口に螺着する本発明の一実施形態の易封緘充填口をもつ容器の要部の構造を示す断面図である。
【図２】（ａ）は、図１に示す易封緘充填口をもつ容器の封緘キャップの平面図であり、（ｂ）は、断面図である。
【図３】（ａ）は、図１に示す易封緘充填口をもつ容器の充填口の平面図であり、（ｂ）は、断面図である。
【図４】封緘キャップを充填口に螺着する本発明の他の一実施形態の易封緘充填口をもつ容器の要部の構造を示す断面図である。
【図５】（ａ）は、図４に示す易封緘充填口をもつ容器の封緘キャップの平面図であり、（ｂ）は、断面図である。
【図６】（ａ）は、図４に示す易封緘充填口をもつ容器の充填口の平面図であり、（ｂ）は、断面図である。
【符号の説明】
【００１７】
１０……易封緘充填口をもつ容器
１００……封緘キャップ
１１０，２１０……上方部
１１１……雄ねじ
１１２……螺着用ローレット目
１２０，１４０，２２０……段差部
１３０……中間部
１５０，２３０……下方部
１５１……引っ掛けリング
１６０……封鎖板
２００……充填口
２１１……雌ねじ
２３１……係着リング
２４０……当接リング
２５０……ヒンジ
２６０……引っ掛け板
【図１】
0004677912.tif 000002
【図２】
0004677912.tif 000003
【図３】
0004677912.tif 000004
【図４】
0004677912.tif 000005
【図５】
0004677912.tif 000006
【図６】
0004677912.tif 000007